【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
医療用デバイスであって、
第１の円筒状部材と第２の円筒状部材とを含むカテーテルであって、
前記第１の円筒状部材は第１のルーメンを規定し、前記第１の円筒状部材は近位端および遠位端を有し、前記カテーテルは、前記近位端の流体源からの流体を前記第１のルーメンを通して前記遠位端の中空金属構造の空洞に送達させるような寸法にされており、
前記第２の円筒状部材は、誘導部材またはガイドワイヤの通過を可能にするような寸法にされた第２のルーメンを規定している、カテーテルと、
近位首部と遠位首部とを備え、前記カテーテルに取り付けられた圧縮状態の中空金属構造であって、前記中空金属構造は、拡張状態において、一般的に円形形状をとり、且つ単一のローブを含み、前記単一のローブは壁を有し、前記壁は、空洞を規定する内面、と外面とを含み、前記壁内の開口部により、前記第１のルーメンから前記空洞内への流体通過が可能になり、前記中空金属構造の前記空洞と前記カテーテルの前記第１のルーメンとは流体接続されており、流体が前記カテーテルから圧縮状態の前記中空金属構造の前記空洞内へと移動することにより、前記中空金属構造が拡張する、中空金属構造と、
を含む、医療用デバイス。
【請求項２】
第１のルーメンを規定する前記第１の円筒状部材と、第２のルーメンを規定する前記第２の円筒状部材とが、同一の円筒状部材およびルーメンである、請求項１に記載の医療用デバイス。
【請求項３】
前記中空金属構造が金を含む、請求項１に記載の医療用デバイス。
【請求項４】
前記中空金属構造の前記壁の一部は、電鋳法によって形成されて成る、請求項１に記載の医療用デバイス。
【請求項５】
前記中空金属構造の首部は、本体と異なる方法によって形成されて成る、請求項１に記載の医療用デバイス。
【請求項６】
前記中空金属構造は、拡張時直径が約２ｍｍ〜約３０ｍｍ、拡張時長さが約５ｍｍ〜約６０ｍｍ、壁厚さが約５μｍ〜約２０μｍである、請求項１に記載の医療用デバイス。
【請求項７】
前記中空金属構造の前記近位首部と前記遠位首部の両方が、前記中空金属構造の本体から離隔方向に突出している、請求項１に記載の医療用デバイス。
【請求項８】
前記中空金属構造の前記壁のうち、前記カテーテルに取り付けられる位置の近隣の部分は、前記中空金属構造の前記本体よりも肉厚である、請求項１に記載の医療用デバイス。
【請求項９】
前記金属構造の前記外面は微小突起を含む、請求項１に記載の医療用デバイス。
【請求項１０】
前記中空金属構造は、折り畳まれて１つ以上のプリーツを形成した後に圧縮され、前記プリーツは前記カテーテルの少なくとも一部に対して圧縮される、請求項１に記載の医療用デバイス。
【請求項１１】
圧縮状態の前記中空金属構造は、前記中空金属構造の前記空洞内に、５気圧未満の圧力で、水または生理食塩水を含む流体を注入することにより、拡張可能である、請求項１に記載の医療用デバイス。
【請求項１２】
前記中空金属構造と前記カテーテルは、接着ボンド、半田または溶接を用いずに摩擦によって連結される、請求項１に記載の医療用デバイス。
【請求項１３】
拡張状態の前記中空金属構造と前記カテーテルは、前記拡張状態の中空金属構造を所定位置に保持しながら前記カテーテルを引き抜くことにより、引き離すことが可能である、請求項１２に記載の医療用デバイス。
【請求項１４】
前記中空金属構造は、接着剤、のり、または溶接によって前記カテーテルに取り付けられており、
前記デバイスは、前記カテーテルと拡張状態の前記中空金属構造とを分離できるように構成される、請求項１に記載の医療用デバイス。
【請求項１５】
前記医療用デバイスは、前記カテーテルの少なくとも近位端から前記カテーテルの少なくとも遠位端まで前記カテーテルの長手軸に沿って伸びる電流搬送用の絶縁された導電性ワイヤを含み、
前記中空金属構造がヒト患者内にあるときに、前記導電性ワイヤ中の電気通過により、前記中空金属構造の前記近位首部の一部を電解方法で溶解させて、拡張状態の前記中空金属構造と前記カテーテルとを分離可能である、請求項１に記載の医療用デバイス。
【請求項１６】
前記中空金属構造の前記近位首部の溶解可能な前記一部が、露出状態の導電材料の細長片を含む、請求項１５に記載の医療用デバイス。
【請求項１７】
前記医療用デバイスには、前記中空金属構造と前記カテーテルの分離が起こるように設計されている位置を特定するために、Ｘ線不透過性マーカーバンドまたはスポットが設けられている、請求項１に記載の医療用デバイス。
【請求項１８】
前記中空金属構造の前記首部は、閉鎖されて前記カテーテルからの分離後にシールを形成するように、構成されている、請求項１に記載の医療用デバイス。
【請求項１９】
前記中空金属構造は、前記カテーテルを患者から除去した後に、拡張状態の前記中空金属構造の前記外面のうち少なくとも５０％が嚢状瘤の内膜表面と接触するように、動脈または静脈の嚢状瘤内への移植用に構成されている、請求項１に記載の医療用デバイス。
【手続補正２】
【補正対象書類名】明細書
【補正対象項目名】０１２０
【補正方法】変更
【補正の内容】
【０１２０】
本発明のデバイスおよび方法は、多様な実施形態の形態において採用することが可能であり、そのうち数例のみを上記において例示および記載してきたことが理解される。本明細書中の開示は、その意図または本質的特徴から逸脱することなく、他の特定の形態として具現化することが可能である。記載の実施形態は、全ての局面において限定的なものとしてではなく例示的なもののみとしてみなされるべきであり、よって、本発明の範囲は、上記の記載によって示されるのではなく、添付の特許請求の範囲によって示される。特許請求の範囲の均等な意味および範囲内に収まる全ての変更は、その範囲内に包含されるべきものである。
本明細書の開示内容は、以下の態様を含み得る。
（態様１）
医療用デバイスであって、
カテーテルと、
前記カテーテルに取り付けられた圧縮状態の中空金属構造であって、前記金属構造は、拡張状態において単一のローブを含み、前記単一のローブは壁を有し、前記壁は、空洞を規定する内面と外面とを含み、前記壁内の開口部により、前記空洞内への流体通過が可能になり、前記中空金属構造の前記空洞と前記カテーテルのルーメンとは流体接続可能であり、前記カテーテルから流体が前記中空金属構造の前記空洞内へと移動すると、前記中空金属構造が拡張する、中空金属構造と、
を含む、医療用デバイス。
（態様２）
前記拡張状態の金属構造の形態は円形である、態様１に記載の医療用デバイス。
（態様３）
前記金属構造の前記壁は、金、白金、銀、これらの合金およびこれらの組み合わせからなる群から選択された材料を含む、態様１に記載の医療用デバイス。
（態様４）
前記金属構造の拡張状態直径は、約２ｍｍ〜約２０ｍｍである、態様１に記載の医療用デバイス。
（態様５）
前記金属構造の壁厚さは、約３μｍ〜６０μｍである、態様１に記載の医療用デバイス。
（態様６）
前記金属構造の前記壁は、外側層を含む、態様１に記載の医療用デバイス。
（態様７）
前記外側層は、多孔性外側層を形成するための多孔性材料を含む、態様６に記載の医療用デバイス。
（態様８）
前記多孔性外側層の厚さは、約１μｍ〜５９μｍである、態様７に記載の医療用デバイス。
（態様９）
前記多孔性外側層は、直径が約０．０１μｍ〜約１００μｍである複数の孔を含む、態様７に記載の医療用デバイス。
（態様１０）
前記多孔性外側層は、金、白金、銀、これらの合金およびこれらの組み合わせからなる群から選択された材料を含む、態様７に記載の医療用デバイス。
（態様１１）
前記多孔性外側層は、薬剤、薬理活性分子、薬学的組成およびこれらの組み合わせからなる群から選択された組成を含む、態様７に記載の医療用デバイス。
（態様１２）
前記多孔性外側層は、トロンビン、血小板由来成長因子、エチオドール、ソトラデコールおよびこれらの組み合わせからなる群から選択された組成を含む、態様１１に記載の医療用デバイス。
（態様１３）
前記外側層は、ポリマー、プラスチック、ゴム、ラテックス、金属、繊維材料、エラストマーおよびこれらの組み合わせを含む、態様６に記載の医療用デバイス。
（態様１４）
前記外側層はパリレン（登録商標）を含む、態様１３に記載の医療用デバイス。
（態様１５）
前記金属構造の前記壁は、前記内面上に配置された内側層を含む、態様１に記載の医療用デバイス。
（態様１６）
前記内側層は、ポリマー、プラスチック、ゴム、金属、繊維材料、ラテックス、エラストマーおよびこれらの組み合わせからなる群から選択された材料を含む、態様１５に記載の医療用デバイス。
（態様１７）
前記金属構造の前記壁は、パリレン（登録商標）を含む内側層を含む、態様１６に記載の医療用デバイス。
（態様１８）
前記内側層の厚さは、約０．１μｍ〜約５９μｍである、態様１５に記載の医療用デバイス。
（態様１９）
前記金属構造の前記壁は、前記外面上に配置された多孔性外側層と、前記内面上に配置された内側層とを含み、前記多孔性外側層は、金、白金、銀、これらの合金およびこれらの組み合わせを含む群から選択された組成を含み、前記内側層はパリレン（登録商標）を含む、態様１に記載の医療用デバイス。
（態様２０）
前記金属構造の前記壁は、パリレン（登録商標）を含む、前記外面上に配置された外側層と、パリレン（登録商標）を含む、前記内面上に配置された内側層とを含む、態様１に記載の医療用デバイス。
（態様２１）
前記金属構造は、開口部を規定する首部を有する、態様１に記載の医療用デバイス。
（態様２２）
前記首部の壁厚さは、約３μｍ〜約６０μｍである、態様２１に記載の医療用デバイス。
（態様２３）
前記首部の長さは０．５ｍｍ〜５ｍｍである、態様２１に記載の医療用デバイス。
（態様２４）
前記首部は、直径が約０．２５ｍｍ〜約３ｍｍである開口部を規定し、これにより、前記開口部により、前記金属構造の前記空洞内への流体移動が可能となる、態様２１に記載の医療用デバイス。
（態様２５）
前記首部は、前記金属構造の前記空洞内へ延びるかまたは前記金属構造から離隔方向に延び得る、態様２１に記載の医療用デバイス。
（態様２６）
前記金属構造は、折り畳まれて１つ以上のプリーツを形成した後、圧縮される、態様１に記載の医療用デバイス。
（態様２７）
前記金属構造は、ヒト患者内において少なくとも部分的に拡張される、態様１に記載の医療用デバイス。
（態様２８）
前記金属構造の前記内壁によって規定された前記空洞は、前記内壁と接触する材料によって少なくとも部分的に充填される、態様２７に記載の医療用デバイス。
（態様２９）
前記充填材料は、流体、液体、気体、固体またはこれらの組み合わせからなる群から選択される、態様２８に記載の医療用デバイス。
（態様３０）
前記金属構造の前記内壁によって規定された前記空洞は、支持構造により少なくとも部分的に充填される、態様２７〜２９のいずれか１項に記載の医療用デバイス。
（態様３１）
前記支持構造は、金属またはポリマーコイルまたはワイヤ、金属またはポリマー伸張性構造、ビーズ、ボール、ミクロスフェア、ラジアル拡張可能な材料またはこれらの組み合わせからなる群から選択される、態様３０に記載の医療用デバイス。
（態様３２）
前記金属構造の前記外面は複数の突起を含み、前記複数の突起は直線状または分岐状である、態様１に記載の医療用デバイス。
（態様３３）
前記突起の長さは０．０１μｍ〜約５７μｍである、態様３２に記載の医療用デバイス。
（態様３４）
前記突起はニチノールまたは繊維を含む、態様３２に記載の医療用デバイス。
（態様３５）
前記カテーテルは、
ルーメンを規定する円筒状部材を含み、前記円筒状部材は近位および遠位端を有し、前記カテーテルの寸法は、前記近位端にある流体源からの流体を前記遠位端にある前記金属構造の前記空洞内へと送達するような寸法である、
態様１に記載の医療用デバイス。
（態様３６）
前記カテーテルは第２の円筒状部材を含み、前記第２の円筒状部材はルーメンを規定し、前記ルーメンは、誘導部材またはガイドワイヤの通過を可能にするような寸法にされる、態様３５に記載の医療用デバイス。
（態様３７）
前記カテーテルは、誘導部材またはガイドワイヤの通過を可能にするような寸法にされたルーメンを規定する円筒状部材を含まない、態様３５に記載の医療用デバイス。
（態様３８）
前記カテーテルの壁は、ナイロン、ポリエチレン、ポリプロピレン、ポリウレタン、またはテフロンおよびこれらの組み合わせからなる群から選択された材料を含む、態様３５に記載の医療用デバイス。
（態様３９）
前記カテーテルの前記壁は、１つ以上の金属コイル、金属ブレードまたはこれらの組み合わせを含む、態様３８に記載の医療用デバイス。
（態様４０）
前記金属コイル、金属ブレードまたはこれらの組み合わせは、ステンレススチールまたはニチノールを含む、態様３９に記載の医療用デバイス。
（態様４１）
前記カテーテルの前記ルーメンは、前記カテーテルの前記近位端にある流体源から前記遠位端にある前記金属構造の前記空洞内への流体移動を可能にするように構成され、栓塞子またはマンドレルを含むかまたは前記栓塞子またはマンドレルに合わせた寸法にされる、態様３５に記載の医療用デバイス。
（態様４２）
前記栓塞子またはマンドレルはワイヤである、態様４１に記載の医療用デバイス。
（態様４３）
前記金属構造は、前記カテーテルの前記栓塞子またはマンドレルのうち少なくとも一部に対して圧縮される、態様４１に記載の医療用デバイス。
（態様４４）
前記金属構造は、前記カテーテルのうち少なくとも一部に対して圧縮される、態様１に記載の医療用デバイス。
（態様４５）
前記医療用デバイスはコンポーネントを含み、前記コンポーネントは、前記カテーテルおよび前記拡張状態の金属構造の分離を発生させるように構成される、態様１に記載の医療用デバイス。
（態様４６）
前記コンポーネントは、電解による前記金属構造の一部の溶解によって分離を発生させるように構成される、態様４５に記載の医療用デバイス。
（態様４７）
前記金属構造の首部の一部が溶解される、態様４６に記載の医療用デバイス。
（態様４８）
前記コンポーネントは、前記金属構造と前記カテーテルとの間の溶接または半田のうち少なくとも一部を電解によって溶解させることにより、分離を発生させるように構成される、態様４５に記載の医療用デバイス。
（態様４９）
前記コンポーネントは、前記拡張状態の金属構造の一部を切断または破断することによって分離を発生させるように構成される、態様４５に記載の医療用デバイス。
（態様５０）
前記金属構造の首部の一部は、切断または破断される、態様４９に記載の医療用デバイス。
（態様５１）
前記コンポーネントは、前記金属構造と前記カテーテルとの間の接着ボンドを加熱して溶融させることにより分離を発生させるように構成される、態様４５に記載の医療用デバイス。
（態様５２）
前記金属構造は、前記カテーテルの前記遠位部分へ摩擦保持される、態様１に記載の医療用デバイス。
（態様５３）
前記カテーテル中に真空が存在する、態様５２に記載の医療用デバイス。
（態様５４）
前記金属構造は、弾性スリーブまたはラップによって前記カテーテルの前記遠位部分へと保持される、態様５２に記載の医療用デバイス。
（態様５５）
前記金属構造は、弾性スリーブまたはラップによって前記カテーテルの前記遠位部分へと保持され、前記カテーテル中に真空が存在する、態様５２に記載の医療用デバイス。
（態様５６）
前記医療用デバイスは、必要としているヒト患者内において前記金属構造を拡張状させることを可能にするように構成され、前記金属構造の拡張後に前記カテーテルおよび前記金属構造を引き離すことが可能なようにさらに構成される、態様５２〜５５のいずれか１項に記載の医療用デバイス。
（態様５７）
前記金属構造は、接着剤またはのりによって前記カテーテルへ取り付けられる、態様１に記載の医療用デバイス。
（態様５８）
コンポーネントをさらに含み、前記コンポーネントは、前記金属構造の一部を電解によって溶解させることにより前記カテーテルおよび前記拡張状態の金属構造の分離を発生させるように、構成される、態様５７に記載の医療用デバイス。
（態様５９）
前記金属構造の首部の一部が溶解される、態様５８に記載の医療用デバイス。
（態様６０）
電流を伝送するための絶縁された導電体ワイヤをさらに含み、前記絶縁された導電体ワイヤは、少なくとも前記カテーテルの近位端から少なくとも前記カテーテルの遠位端へと、前記カテーテルの長手方向軸に沿って延びる、態様５７〜５９のいずれか１項に記載の医療用デバイス。
（態様６１）
前記絶縁された導電体ワイヤは電解ワイヤである、態様６０に記載の医療用デバイス。
（態様６２）
前記絶縁された導電体ワイヤの一部は、前記カテーテルの壁内か、前記カテーテルの外面上か、または前記カテーテルのルーメン内に配置される、態様６０に記載の医療用デバイス。
（態様６３）
前記金属構造の前記外面は、絶縁性物質でコーティングされる、態様５８に記載の医療用デバイス。
（態様６４）
前記金属構造の前記内面は、絶縁性物質でコーティングされる、態様５８に記載の医療用デバイス。
（態様６５）
前記金属構造の前記内面および前記外面は、絶縁性物質でコーティングされる、態様５８に記載の医療用デバイス。
（態様６６）
前記金属構造のうち少なくとも一部は、コーティングされていないかまたは非絶縁性である、態様６３〜６５のいずれか１項に記載の医療用デバイス。
（態様６７）
前記金属構造の首部のうち少なくとも一部は、コーティングされていないかまたは非絶縁性である、態様６３〜６５のいずれか１項に記載の医療用デバイス。
（態様６８）
コンポーネントをさらに含み、前記コンポーネントは、前記拡張状態の金属構造の一部を切断または破断することにより前記カテーテルおよび前記拡張状態の金属構造の分離を発生させるように構成される、態様５７に記載の医療用デバイス。
（態様６９）
前記金属構造の首部の一部は切断または破断される、態様６８に記載の医療用デバイス。
（態様７０）
材料のループをさらに含む、態様５７および６９に記載の医療用デバイス。
（態様７１）
前記材料のループは、ワイヤ、ポリマーストランド、フィラメント、ストリング、スレッドまたはスネアを含む、態様７０に記載の医療用デバイス。
（態様７２）
前記拡張状態の金属構造を切断するように構成された１つ以上の刃部をさらに含む、態様５７および６９に記載の医療用デバイス。
（態様７３）
コンポーネントをさらに含み、前記コンポーネントは、前記金属構造と前記カテーテルとの間の接着ボンドを加熱して溶融させることにより前記カテーテルおよび前記拡張状態の金属構造の分離を発生させるように、構成される、態様５７に記載の医療用デバイス。
（態様７４）
電流を受容可能な抵抗発熱体をさらに含む、態様５７および７３に記載の医療用デバイス。
（態様７５）
電流を伝送するための絶縁された導電体ワイヤをさらに含み、前記絶縁された導電体ワイヤは、少なくとも前記カテーテルの近位端から少なくとも前記カテーテルの遠位端へと、前記カテーテルの長手方向軸に沿って延びる、態様７４に記載の医療用デバイス。
（態様７６）
前記金属構造は、溶接または半田によって前記カテーテルへ取り付けられる、態様１に記載の医療用デバイス。
（態様７７）
コンポーネントをさらに含み、前記コンポーネントは、前記金属構造の一部を電解によって溶解させることにより前記カテーテルおよび前記拡張状態の金属構造の分離を発生させるように、構成される、態様７６に記載の医療用デバイス。
（態様７８）
前記金属構造の首部の一部が溶解される、態様７７に記載の医療用デバイス。
（態様７９）
コンポーネントをさらに含み、前記コンポーネントは、前記金属構造と前記カテーテルとの間の前記溶接または半田のうち少なくとも一部を電解によって溶解させることにより前記カテーテルおよび前記拡張状態の金属構造の分離を発生させるように、構成される、態様７６に記載の医療用デバイス。
（態様８０）
電流を伝送するための絶縁された導電体ワイヤをさらに含み、前記絶縁された導電体ワイヤは、少なくとも前記カテーテルの近位端から少なくとも前記カテーテルの遠位端へと、前記カテーテルの長手方向軸に沿って延びる、態様７７〜７９のいずれか１項に記載の医療用デバイス。
（態様８１）
前記絶縁された導電体ワイヤは電解ワイヤである、態様８０に記載の医療用デバイス。
（態様８２）
前記絶縁された導電体ワイヤの一部は、前記カテーテルの壁内か、前記カテーテルの外面上か、または前記カテーテルのルーメン内に配置される、態様８０に記載の医療用デバイス。
（態様８３）
前記金属構造の前記外面は、絶縁性物質でコーティングされる、態様７７〜７９のいずれか１項に記載の医療用デバイス。
（態様８４）
前記金属構造の前記内面は、絶縁性物質でコーティングされる、態様７７〜７９のいずれか１項に記載の医療用デバイス。
（態様８５）
前記金属構造の前記内面および前記外面は、絶縁性物質でコーティングされる、態様７７〜７９のいずれか１項に記載の医療用デバイス。
（態様８６）
前記溶接または半田のうち少なくとも一部は、コーティングされていないかまたは非絶縁性である、態様７７〜７９のいずれか１項に記載の医療用デバイス。
（態様８７）
前記金属構造の首部のうち少なくとも一部は、コーティングされていないかまたは非絶縁性である、態様７７〜７９のいずれか１項に記載の医療用デバイス。
（態様８８）
コンポーネントをさらに含み、前記コンポーネントは、前記拡張状態の金属構造の一部を切断または破断することにより前記カテーテルおよび前記拡張状態の金属構造の分離を発生させるように、構成される、態様７６に記載の医療用デバイス。
（態様８９）
前記金属構造の首部の一部は、切断または破断される態様８８に記載の医療用デバイス。
（態様９０）
材料のループをさらに含む、態様７６および８８に記載の医療用デバイス。
（態様９１）
前記材料のループは、ワイヤ、ポリマーストランド、フィラメント、ストリング、スレッドまたはスネアを含む、態様９０に記載の医療用デバイス。
（態様９２）
前記拡張状態の金属構造を切断するように構成された１つ以上の刃部をさらに含む、態様７６および８８に記載の医療用デバイス。
（態様９３）
前記金属構造は、噛み合い部分の物理的結合によって前記カテーテルへと取り付けられる、態様１に記載の医療用デバイス。
（態様９４）
コンポーネントをさらに含み、前記コンポーネントは、コンポーネントの作動によって前記カテーテルおよび前記拡張状態の金属構造の分離を発生させるように構成される、態様９３に記載の医療用デバイス。
（態様９５）
クランプをさらに含み、前記クランプを作動させることにより、前記カテーテルと前記金属構造との間の結合が分離される、態様９３および９４に記載の医療用デバイス。
（態様９６）
ワイヤ、ポリマーストランド、フィラメント、ストリング、スレッドまたはスネアをさらに含み、前記ワイヤ、ポリマーストランド、フィラメント、ストリング、スレッドまたはスネアが牽引されると、前記金属構造と前記カテーテルとの間の結合が分離されるか前記金属構造と前記カテーテルとが引き離される、態様９３および９４に記載の医療用デバイス。
（態様９７）
医療用デバイスであって、
圧縮状態の中空金属構造であって、前記圧縮状態の中空金属構造は、拡張状態になった場合に単一のローブを含み、前記金属構造は、空洞を規定する内面および外面を有する壁を有し、前記壁内に規定された開口部により、前記圧縮状態の中空金属構造の前記空洞内への流体移動が可能となる、圧縮状態の中空金属構造と、
ルーメンを規定する円筒状部材と共に前記圧縮状態の中空金属構造へと取り付けられたカテーテルであって、前記円筒状部材は近位および遠位端を有し、前記カテーテルは、前記近位端にある流体源からの流体を前記遠位端にある前記圧縮状態の中空金属構造の前記空洞内へと送達するような寸法にされ、前記カテーテルからの流体が前記空洞内へと移動すると、前記中空金属構造が拡張される、カテーテルと、を含み、
前記圧縮状態の中空金属構造および前記カテーテルは、接着ボンド、半田または溶接無しで摩擦によって連結され、前記中空金属構造および前記カテーテルは、前記拡張状態の中空金属構造および前記カテーテルを引き離すことが可能なように構成される、
医療用デバイス。
（態様９８）
前記拡張状態の金属構造の形態は円形である、態様９７に記載の医療用デバイス。
（態様９９）
前記金属構造の拡張状態直径は、約２ｍｍ〜約２０ｍｍである、態様９７に記載の医療用デバイス。
（態様１００）
前記金属構造の壁厚さは、約３μｍ〜約６０μｍである、態様９７に記載の医療用デバイス。
（態様１０１）
前記金属構造は、直径が約０．０１μｍ〜約１００μｍである複数の孔を含む外側層を有する、態様９７に記載の医療用デバイス。
（態様１０２）
前記金属構造は、長さが０．０１μｍ〜約５７μｍである
複数の突起を含む外側層を有する、態様９７に記載の医療用デバイス。
（態様１０３）
前記金属構造の前記壁は、前記内面上に配置された内側層を含み、前記内側層は、ポリマー、プラスチック、ゴム、ラテックス、金属、繊維材料、エラストマー、パリレン（登録商標）およびこれらの組み合わせからなる群から選択された材料を含む、態様９７に記載の医療用デバイス。
（態様１０４）
前記金属構造は、開口部を規定する首部を有する、態様９７に記載の医療用デバイス。
（態様１０５）
前記金属構造の前記首部は、弾性スリーブまたはラップによって前記カテーテルの遠位端へ固定される、態様１０４に記載の医療用デバイス。
（態様１０６）
前記カテーテルおよび前記拡張状態の中空金属構造を引き離すことにより、前記拡張状態の金属構造および前記カテーテルを分離させることが可能である、態様９７および１０５に記載の医療用デバイス。
（態様１０７）
医療用デバイスであって、
圧縮状態の中空金属構造であって、前記圧縮状態の中空金属構造は、拡張された場合に単一のローブを含み、前記金属構造は、空洞を規定する内面および外面を有する壁を有し、前記壁内に規定された開口部により、前記圧縮状態の中空金属構造の前記空洞内への流体移動が可能となる、圧縮状態の中空金属構造と、
ルーメンを規定する円筒状部材と共に前記圧縮状態の中空金属構造へ取り付けられたカテーテルであって、前記円筒状部材は近位および遠位端を有し、前記カテーテルは、前記近位端にある流体源からの流体が前記遠位端にある前記圧縮状態の中空金属構造の前記空洞内へと送達できるような寸法にされ、前記カテーテルからの流体が前記空洞内へと移動すると、前記中空金属構造が拡張される、カテーテルと、
前記拡張状態の中空金属構造および前記カテーテルを分離させるように構成されたコンポーネントであって、前記コンポーネントの作動により、前記拡張状態の中空金属構造の一部を切断または破断して、前記拡張状態の中空金属構造および前記カテーテルを分離させる、コンポーネントと、
を含む、医療用デバイス。
（態様１０８）
前記拡張状態の金属構造の形態は円形である、態様１０７に記載の医療用デバイス。
（態様１０９）
前記金属構造の拡張状態直径は、約２ｍｍ〜約２０ｍｍである、態様１０７に記載の医療用デバイス。
（態様１１０）
前記金属構造の壁厚さは、約３μｍ〜約６０μｍである、態様１０７に記載の医療用デバイス。
（態様１１１）
前記金属構造は、直径が０．０１μｍ〜約１００μｍである複数の孔を含む外側層を有する、態様１０７に記載の医療用デバイス。
（態様１１２）
前記金属構造は、長さが０．０１μｍ〜約５７μｍである複数の突起を含む外側層を有する、態様１０７に記載の医療用デバイス。
（態様１１３）
前記金属構造の前記壁は、前記内面上に配置された内側層を含み、前記内側層は、ポリマー、プラスチック、ゴム、ラテックス、金属、繊維材料、エラストマー、パリレン（登録商標）およびこれらの組み合わせからなる群から選択された材料を含む、態様１０７に記載の医療用デバイス。
（態様１１４）
前記中空金属構造は、開口部を規定する首部を有する、態様１０７に記載の医療用デバイス。
（態様１１５）
前記金属構造の首部部分は切断または破断される、態様１１４に記載の医療用デバイス。
（態様１１６）
前記コンポーネントは、材料のループである、態様１０７に記載の医療用デバイス。
（態様１１７）
前記材料のループは、ワイヤ、ポリマーストランド、フィラメント、ストリング、スレッドまたはスネアを含む、態様１１６に記載の医療用デバイス。
（態様１１８）
前記コンポーネントは、１つ以上の刃部を含む、態様１０７に記載の医療用デバイス。
（態様１１９）
医療用デバイスであって、
圧縮状態の中空金属構造であって、前記圧縮状態の中空金属構造は、拡張された場合、単一のローブを含み、前記金属構造は、空洞を規定する内面および外面を有する壁を有し、前記壁内に規定された開口部により、前記圧縮状態の中空金属構造の前記空洞内への流体移動が可能になる、圧縮状態の中空金属構造と、
ルーメンを規定する円筒状部材と共に前記圧縮状態の中空金属構造へと取り付けられたカテーテルであって、前記円筒状部材は近位および遠位端を有し、前記カテーテルは、前記近位端にある流体源からの流体が前記遠位端にある前記圧縮状態の中空金属構造の前記空洞内へと送達されるような寸法にされ、前記カテーテルからの流体が前記空洞内へと移動すると、前記中空金属構造が拡張される、カテーテルと、
前記拡張状態の中空金属構造および前記カテーテルを分離させるためのコンポーネントであって、前記コンポーネントは、電解による前記金属構造の一部の溶解によって分離を発生させるように構成され、これにより、前記拡張状態の中空金属構造および前記カテーテルが分離される、コンポーネントと、
を含む、医療用デバイス。
（態様１２０）
前記拡張状態の金属構造の形態は円形である、態様１１９に記載の医療用デバイス。
（態様１２１）
前記金属構造の拡張状態直径は、約２ｍｍ〜約２０ｍｍである、態様１１９に記載の医療用デバイス。
（態様１２２）
前記金属構造の壁厚さは、約３μｍ〜約６０μｍである、態様１１９に記載の医療用デバイス。
（態様１２３）
前記金属構造は、直径が０．０１μｍ〜約１００μｍである複数の孔を含む外側層を有する、態様１１９に記載の医療用デバイス。
（態様１２４）
前記金属構造は、長さが０．０１μｍ〜約５７μｍである複数の突起を含む外側層を有する、態様１１９に記載の医療用デバイス。
（態様１２５）
前記金属構造の前記壁は、前記内面上に配置された内側層を含み、前記内側層は、ポリマー、プラスチック、ゴム、ラテックス、金属、繊維材料、エラストマー、パリレン（登録商標）およびこれらの組み合わせからなる群から選択された材料を含む、態様１１９に記載の医療用デバイス。
（態様１２６）
前記金属構造の首部の一部が溶解される、態様１１９に記載の医療用デバイス。
（態様１２７）
電流を伝送するための絶縁された導電体ワイヤを含み、前記絶縁された導電体ワイヤは、少なくとも前記カテーテルの近位端から少なくとも前記カテーテルの遠位端へと、前記カテーテルの長手方向軸に沿って延びる、態様１１９および１２６に記載の医療用デバイス。
（態様１２８）
前記絶縁された導電体ワイヤは電解ワイヤである、態様１２７に記載の医療用デバイス。
（態様１２９）
前記絶縁された導電体ワイヤの一部は、前記カテーテルの壁内か、前記カテーテルの外面上か、または前記カテーテルのルーメン内に配置される、態様１２７に記載の医療用デバイス。
（態様１３０）
医療用デバイスであって、
圧縮状態の中空金属構造であって、前記圧縮状態の中空金属構造は、拡張された場合、単一のローブを含み、前記金属構造は、空洞を規定する内面および外面を有する壁を有し、前記壁内に規定された開口部により、前記圧縮状態の中空金属構造の前記空洞内への流体移動が可能となる、圧縮状態の中空金属構造と、
前記金属構造と前記カテーテルとの間の溶接または半田によって前記圧縮状態の中空金属構造へと取り付けられたカテーテルであって、前記カテーテルは、ルーメンを規定する円筒状部材を有し、前記円筒状部材は近位および遠位端を有し、前記カテーテルは、前記近位端にある流体源からの流体を前記遠位端にある前記圧縮状態の中空金属構造の前記空洞へと送達させるような寸法にされ、前記カテーテルからの流体が前記空洞内へと移動すると、前記中空金属構造が拡張する、カテーテルと、
前記拡張状態の中空金属構造および前記カテーテルを分離させるためのコンポーネントであって、前記コンポーネントは、前記金属構造と前記カテーテルとの間の溶接または半田を電解によって容器させることによって分離を発生させるように構成され、これにより、前記拡張状態の中空金属構造および前記カテーテルが分離される、コンポーネントと、
を含む、医療用デバイス。
（態様１３１）
前記拡張状態の金属構造の形態は円形である、態様１３０に記載の医療用デバイス。
（態様１３２）
前記金属構造の拡張状態直径は、約２ｍｍ〜約２０ｍｍである、態様１３０に記載の医療用デバイス。
（態様１３３）
前記金属構造の壁厚さは、約３μｍ〜約６０μｍである、態様１３０に記載の医療用デバイス。
（態様１３４）
前記金属構造は、直径が０．０１μｍ〜約１００μｍである複数の孔を含む外側層を有する、態様１３０に記載の医療用デバイス。
（態様１３５）
上前記金属構造は、長さが０．０１μｍ〜約５７μｍである複数の突起を含む外側層を有する、態様１３０に記載の医療用デバイス。
（態様１３６）
前記金属構造の前記壁は、前記内面上に配置された内側層を含み、前記内側層は、ポリマー、プラスチック、ゴム、ラテックス、金属、繊維材料、エラストマー、パリレン（登録商標）およびこれらの組み合わせからなる群から選択された材料を含む、態様１３０に記載の医療用デバイス。
（態様１３７）
電流を伝送するための絶縁された導電体ワイヤを含み、前記絶縁された導電体ワイヤは、少なくとも前記カテーテルの近位端から少なくとも前記カテーテルの遠位端へと、前記カテーテルの長手方向軸に沿って延びる、態様１３０に記載の医療用デバイス。
（態様１３８）
前記絶縁された導電体ワイヤは電解ワイヤである、態様１３７に記載の医療用デバイス。
（態様１３９）
前記絶縁された導電体ワイヤの一部は、前記カテーテルの壁内か、前記カテーテルの外面上か、または前記カテーテルのルーメン内に配置される、態様１３７に記載の医療用デバイス。
（態様１４０）
医療用デバイスであって、
取り付けられた圧縮状態の中空金属構造であって、前記圧縮状態の中空金属構造は、拡張になったとき、単一のローブを含み、前記金属構造は、空洞を規定する内面および外面を有する壁を有し、前記壁内に規定された開口部により、前記圧縮状態の中空金属構造の前記空洞内への流体移動が可能となる、圧縮状態の中空金属構造と、
接着ボンドによって前記圧縮状態の中空金属構造へと取り付けられたカテーテルであって、前記カテーテルは、ルーメンを規定する円筒状部材を有し、前記円筒状部材は、近位および遠位端を有し、前記カテーテルは、前記近位端にある流体源からの流体が前記遠位端にある前記圧縮状態の中空金属構造の前記空洞内へと送達されるような寸法にされ、前記カテーテルからの流体が前記空洞内へと移動すると、前記中空金属構造が拡張する、カテーテルと、
前記拡張状態の中空金属構造および前記カテーテルを分離させるためのコンポーネントであって、前記コンポーネントは、前記金属構造と前記カテーテルとの間の接着ボンドを加熱して溶融させることにより分離を発生させるように構成される、コンポーネントと、
を含む、医療用デバイス。
（態様１４１）
前記拡張状態の金属構造の形態は円形である、態様１４０に記載の医療用デバイス。
（態様１４２）
前記金属構造の拡張状態直径は、約２ｍｍ〜約２０ｍｍである、態様１４０に記載の医療用デバイス。
（態様１４３）
前記金属構造の壁厚さは、約３μｍ〜約６０μｍである、態様１４０に記載の医療用デバイス。
（態様１４４）
前記金属構造は、直径が０．０１μｍ〜約１００μｍである複数の孔を含む外側層を有する、態様１４０に記載の医療用デバイス。
（態様１４５）
前記金属構造は、長さが０．０１μｍ〜約５７μｍである複数の突起を含む外側層を有する、態様１４０に記載の医療用デバイス。
（態様１４６）
前記金属構造の前記壁は、前記内面上に配置された内側層を含み、前記内側層は、ポリマー、プラスチック、ゴム、ラテックス、金属、繊維材料、エラストマー、パリレン（登録商標）およびこれらの組み合わせからなる群から選択された材料を含む、態様１４０に記載の医療用デバイス。
（態様１４７）
電流を受容可能な抵抗発熱体をさらに含む、態様１４０に記載の医療用デバイス。
（態様１４８）
電流を伝送するための絶縁された導電体ワイヤをさらに含み、前記絶縁された導電体ワイヤは、少なくとも前記カテーテルの近位端から少なくとも前記カテーテルの遠位端へと、前記カテーテルの長手方向軸に沿って延びる、態様１４７に記載の医療用デバイス。
（態様１４９）
医療用デバイスであって、
カテーテルと、
壁を有する前記カテーテルへと取り付けられたボールステントであって、前記壁は、空洞を規定する内面と、外面とを有し、前記壁の厚さは、３μｍ〜約６０μｍである、ボールステントと、
を含む、医療用デバイス。
（態様１５０）
前記拡張状態のボールステントの形態は円形である、態様１４９に記載の医療用デバイス。
（態様１５１）
前記ボールステントの拡張状態直径は、約２ｍｍ〜約２０ｍｍである、態様１４９に記載の医療用デバイス。
（態様１５２）
前記ボールステントは、多孔性の外側層を含み、前記多孔性の外側層は、前記壁の前記外面上に配置される、態様１４９に記載の医療用デバイス。
（態様１５３）
前記多孔性層は、直径が約０．０１μｍ〜約１００μｍである複数の孔を含む、態様１５２に記載の医療用デバイス。
（態様１５４）
前記ボールステントの前記外面は、複数の突起を含む。態様１４９に記載の医療用デバイス。
（態様１５５）
前記突起の長さは、０．０１μｍ〜約５７μｍである、態様１５４に記載の医療用デバイス。
（態様１５６）
前記金属構造の前記壁は、前記内面上に配置された内側層を含み、前記内側層は、ポリマー、プラスチック、ゴム、ラテックス、金属、繊維材料、エラストマー、パリレン（登録商標）およびこれらの組み合わせからなる群から選択された材料を含む、態様１４９に記載の医療用デバイス。
（態様１５７）
医療用デバイスであって、
内面および外面を含む壁を有するボールステントであって、前記内面は空洞を規定し、前記壁厚さは、３μｍ〜約６０μｍである、ボールステントと、
流体を送ることが可能なルーメンを備えたカテーテルであって、前記カテーテルは、前記ボールステントに取り付けられた遠位端と、近位端とを有し、前記近位端は、流体源へと接続可能であり、流体が前記カテーテルの前記ルーメンを通じて前記ボールステントの前記空洞内へと移動することが可能なように構成される、カテーテルと、
を含む、医療用デバイス。
（態様１５８）
前記拡張状態のボールステントの形態は円形である、態様１５７に記載の医療用デバイス。
（態様１５９）
前記ボールステントの拡張状態直径は、約２ｍｍ〜約２０ｍｍである、態様１５７に記載の医療用デバイス。
（態様１６０）
前記ボールステントは、前記壁の前記外面上に配置された多孔性の外側層を有する、態様１５７に記載の医療用デバイス。
（態様１６１）
前記多孔性の外側層は、直径が約０．０１μｍ〜約１００μｍである複数の孔を有する、態様１６０に記載の医療用デバイス。
（態様１６２）
前記ボールステントの前記外面は、複数の突起を含む、態様１５７に記載の医療用デバイス。
（態様１６３）
前記突起の長さは０．０１μｍ〜約５７μｍである、態様１６２に記載の医療用デバイス。
（態様１６４）
前記ボールステントの前記壁は、前記内面上に配置された内側層を含み、前記内側層を形成するために用いられる材料は、ポリマー、プラスチック、ゴム、ラテックス、エラストマー、パリレン（登録商標）およびこれらの組み合わせからなる群から選択される、態様１５７に記載の医療用デバイス。
（態様１６５）
医療用デバイスであって、
壁と、開口部を規定する首部とを有するボールステントであって、前記壁は、空洞を規定する内面と、外面とを備え、壁厚さは約３μｍ〜約６０μｍであり、前記開口部により、前記ボールステントの前記空洞内への流体移動が可能となる、ボールステントと、
流体伝送が可能なルーメンを備えたカテーテルであって、前記カテーテルは、前記ボールステントへ摩擦嵌めされた遠位端と、流体源へ接続可能な近位端とを有し、流体が前記カテーテルの前記ルーメンを通じて前記ボールステントの前記空洞内へと移動するように構成される、カテーテルと、
を含む、医療用デバイス。
（態様１６６）
前記拡張状態のボールステントの形態は円形である、態様１６５に記載の医療用デバイス。
（態様１６７）
前記ボールステントの拡張状態直径は約２ｍｍ〜約２０ｍｍである、態様１６５に記載の医療用デバイス。
（態様１６８）
前記ボールステントは、前記壁の前記外面上に配置された多孔性の外側層を有する、態様１６５に記載の医療用デバイス。
（態様１６９）
前記多孔性の外側層は、直径が約０．０１μｍ〜約１００μｍである複数の孔を有する、態様１６８に記載の医療用デバイス。
（態様１７０）
前記ボールステントの前記外面は、複数の突起を含む、態様１６５に記載の医療用デバイス。
（態様１７１）
前記突起の長さは０．０１μｍ〜約５７μｍである、態様１７０に記載の医療用デバイス。
（態様１７２）
前記ボールステントの前記壁は、前記内面上に配置された内側層を含み、前記内側層を形成するために用いられる材料は、ポリマー、プラスチック、ゴム、ラテックス、金属、繊維材料、エラストマー、パリレン（登録商標）およびこれらの組み合わせからなる群から選択される、態様１６５に記載の医療用デバイス。
（態様１７３）
弾性スリーブまたはラップにより、前記カテーテルと前記ボールステントとの間の摩擦嵌めの一部が形成される、態様１６５に記載の医療用デバイス。
（態様１７４）
医療用デバイスであって、
壁を有するボールステントであって、前記壁は、内面および外面を有し、前記内面は空洞を規定し、壁厚さは３μｍ〜約６０μｍであり、前記壁によって規定された開口部により、前記ボールステントの前記空洞内への流体移動が可能となる、ボールステントと、
前記ボールステントへ取り付けられた流体伝送が可能なルーメンを備えたカテーテルであって、前記カテーテルは、溶接または半田によって前記ボールステントへ取り付けられた遠位端と、近位端とを有し、前記近位端は、流体源へと接続可能であり、流体が前記カテーテルの前記ルーメンを通じて前記ボールステントの前記空洞内へと移動することが可能なように構成される、カテーテルと、
電流を伝送するための絶縁された導電性ワイヤであって、前記絶縁された導電性ワイヤは、少なくとも前記カテーテルの近位端から少なくとも前記カテーテルの遠位端へと、前記カテーテルの長手方向軸に沿って延び、前記ボールステントと前記カテーテルとの間の溶接または半田へ電気的に連結される、絶縁された導電性ワイヤと、
を含む、医療用デバイス。
（態様１７５）
前記拡張状態のボールステントの形態は円形である、態様１７４に記載の医療用デバイス。
（態様１７６）
前記ボールステントの拡張状態直径は約２ｍｍ〜約２０ｍｍである、態様１７４に記載の医療用デバイス。
（態様１７７）
前記ボールステントは、前記壁の前記外面上に配置された多孔性の外側層を有する、態様１７４に記載の医療用デバイス。
（態様１７８）
前記多孔性の外側層は、直径が０．０１μｍ〜約１００μｍである複数の孔を有する、態様１７７に記載の医療用デバイス。
（態様１７９）
前記ボールステントの前記外面は、複数の突起を含む、態様１７４に記載の医療用デバイス。
（態様１８０）
前記突起の長さは、０．０１μｍ〜約５７μｍである、態様１７９に記載の医療用デバイス。
（態様１８１）
前記ボールステントの前記壁は、前記内面上に配置された内側層を含み、前記内側層を形成するために用いられる材料は、ポリマー、プラスチック、ゴム、ラテックス、金属、繊維材料、エラストマー、パリレン（登録商標）およびこれらの組み合わせからなる群から選択される、態様１７４に記載の医療用デバイス。
（態様１８２）
前記絶縁された導電性ワイヤは電解ワイヤである、態様１７４に記載の医療用デバイス。
（態様１８３）
前記医療用デバイスの構成は、前記ボールステントがヒト患者内において拡張された場合、前記電解ワイヤ中の電気の通過により、前記溶接または半田のうち少なくとも一部を溶解させることができ、その結果、前記拡張状態のボールステントおよび前記カテーテルが分離されるような構成である、態様１７４に記載の医療用デバイス。
（態様１８４）
医療用デバイスであって、
壁を有するボールステントであって、前記壁は内面および外面を有し、前記内面は空洞を規定し、壁厚さは３μｍ〜約６０μｍであり、前記壁によって規定された開口部により、前記ボールステントの前記空洞内への流体移動が可能となる、ボールステントと、
流体伝送が可能なルーメンを備えたカテーテルであって、前記カテーテルは、接着剤、溶接または半田によって前記ボールステントへ接続された遠位端と、近位端とを有し、前記近位端は、流体源へと接続可能であり、流体が前記カテーテルの前記ルーメンを通じて前記ボールステントの前記空洞内へと移動することが可能なように構成される、カテーテルと、
電流を伝送するための絶縁された導電性ワイヤであって、前記絶縁された導電性ワイヤは、少なくとも前記カテーテルの近位端から少なくとも前記カテーテルの遠位端へと、前記カテーテルの長手方向軸に沿って延び、前記長手方向軸は、前記ボールステントへと電気的に連結される、絶縁された導電性ワイヤと、
を含む、医療用デバイス。
（態様１８５）
前記拡張状態のボールステントの形態は円形である、態様１８４に記載の医療用デバイス。
（態様１８６）
前記ボールステントの拡張状態直径は、約２ｍｍ〜約２０ｍｍである、態様１８４に記載の医療用デバイス。
（態様１８７）
前記ボールステントは、前記壁の前記外面上に配置された多孔性の外側層を有する、態様１８４に記載の医療用デバイス。
（態様１８８）
前記多孔性の外側層は、直径が約０．０１μｍ〜約１００μｍである複数の孔を有する、態様１８７に記載の医療用デバイス。
（態様１８９）
前記ボールステントの前記外面は、複数の突起を含む、態様１８４に記載の医療用デバイス。
（態様１９０）
前記突起の長さは、０．０１μｍ〜約５７μｍである、態様１８９に記載の医療用デバイス。
（態様１９１）
前記ボールステントの前記壁は、前記内面上に配置された内側層を含み、前記内側層を形成するために用いられる材料は、ポリマー、プラスチック、ゴム、ラテックス、金属、繊維材料、エラストマー、パリレン（登録商標）およびこれらの組み合わせからなる群から選択される、態様１８４に記載の医療用デバイス。
（態様１９２）
前記絶縁された導電性ワイヤは電解ワイヤである、態様１８４に記載の医療用デバイス。
（態様１９３）
前記医療用デバイスの構成は、前記ボールステントがヒト患者内において拡張された場合、前記電解ワイヤ中の電気の通過により、前記拡張状態のボールステントの一部を溶解させることができ、その結果、前記拡張状態のボールステントおよび前記カテーテルが分離されるような構成である、態様１８４に記載の医療用デバイス。
（態様１９４）
医療用デバイスであって、
壁を有するボールステントであって、前記壁は、内面および外面を有し、前記内面は空洞を規定し、壁厚さは３μｍ〜約６０μｍであり、前記壁によって規定された開口部により、前記ボールステントの前記空洞内への流体移動が可能となる、ボールステントと、
流体伝送が可能なルーメンと共に前記ボールステントへ取り付けられたカテーテルであって、前記カテーテルは、接着剤またはのりによって前記ボールステントへ取り付けられた遠位端と、近位端とを有し、前記近位端は、流体源へと接続可能であり、流体が前記カテーテルの前記ルーメンを通じて前記ボールステントの前記空洞内へと移動することが可能なように構成される、ボールステントと、
前記ボールステントの一部を切断または破断することにより前記拡張状態のボールステントを前記カテーテルから分離させるように構成されたコンポーネントと、
を含む、医療用デバイス。
（態様１９５）
前記拡張状態のボールステントの形態は円形である、態様１９４に記載の医療用デバイス。
（態様１９６）
前記ボールステントの拡張状態直径は、約２ｍｍ〜約２０ｍｍである、態様１９４に記載の医療用デバイス。
（態様１９７）
前記ボールステントは、前記壁の前記外面上に配置された多孔性の外側層を有する、態様１９４に記載の医療用デバイス。
（態様１９８）
前記多孔性の外側層は、直径が０．０１μｍ〜約１００μｍである複数の孔を有する、態様１９７に記載の医療用デバイス。
（態様１９９）
前記ボールステントの前記外面は、複数の突起を含み、前記複数の突起は直線状または分岐状である、態様１９４に記載の医療用デバイス。
（態様２００）
前記突起の長さは、０．０１μｍ〜約５７μｍである、態様１９９に記載の医療用デバイス。
（態様２０１）
前記ボールステントの前記壁は、前記内面上に配置された内側層を含み、前記内側層を形成するために用いられる材料は、ポリマー、プラスチック、ゴム、ラテックス、金属、繊維材料、エラストマー、パリレン（登録商標）およびこれらの組み合わせからなる群から選択される、態様１９４に記載の医療用デバイス。
（態様２０２）
前記ボールステントの一部を切断または破断することが可能な前記コンポーネントは、材料の可撓性ループを含む、態様１９４に記載の医療用デバイス。
（態様２０３）
前記材料のループは、ワイヤ、ポリマーストランド、フィラメント、ストリング、スレッドまたはスネアの群から選択される、態様２０２に記載の医療用デバイス。
（態様２０４）
前記ボールステントの一部を切断または破断することが可能な前記コンポーネントは、１つ以上の刃部を含む、態様１９４に記載の医療用デバイス。
（態様２０５）
嚢状動脈瘤の内腔の一部を拡張状態のボールステントで充填する方法であって、前記ボールステントは、内面を有する壁を有し、前記内面は空洞を規定し、
圧縮状態のボールステントを取り付けられたカテーテルと共に前記嚢状動脈瘤の内腔内において位置決めするステップと、
前記ボールステントが拡張状態になるまで、流体源からの流体を前記カテーテルのルーメンを通じて前記圧縮状態のボールステントの前記空洞内へと移動させるステップと、
前記拡張状態のボールステントを前記カテーテルから分離させるステップと、
前記カテーテルを前記患者から除去する際、前記拡張状態のボールステントを前記嚢状動脈瘤の内腔内に残置するステップと、
を含む、方法。
（態様２０６）
前記圧縮状態のボールステントをガイドカテーテルのルーメンを通じて送ることを含む、態様２０５に記載の方法。
（態様２０７）
前記取り付けられたカテーテルは、誘導部材またはガイドワイヤの移動を可能にするような寸法にされたルーメンを規定する円筒状部材を含まない、態様２０５に記載の方法。
（態様２０８）
誘導部材またはガイドワイヤを用いて前記圧縮状態のボールステントを前記動脈瘤の内腔内に位置決めすることを含み、前記取り付けられたカテーテルは、ルーメンを規定する円筒状部材を含み、前記ルーメンは、前記誘導部材またはガイドワイヤの移動を可能にするような寸法にされる、態様２０５に記載の方法。
（態様２０９）
前記拡張状態のボールステントの外面のうち少なくとも５０％、７５％または９０％が前記動脈瘤の内膜表面と接触するように前記圧縮状態のボールステントを拡張させることを含む、態様２０５に記載の方法。
（態様２１０）
前記動脈瘤の内腔のうち少なくとも５０％、７５％または９０％が前記拡張状態のボールステントによって充填されるように前記圧縮状態のボールステントを拡張させることを含む、態様２０５に記載の方法。
（態様２１１）
前記拡張状態のボールステントの形態は円形である、態様２０５に記載の方法。
（態様２１２）
前記ボールステントの拡張状態直径は、約２ｍｍ〜約２０ｍｍである、態様２０５に記載の医療用デバイス。
（態様２１３）
前記ボールステントは、前記壁の前記外面上に配置された多孔性の外側層を有する、態様２０５に記載の方法。
（態様２１４）
前記層は、直径が約０．０１μｍ〜約１００μｍである複数の孔を有する、態様２１３に記載の方法。
（態様２１５）
前記ボールステントの外面は、複数の突起を含み、前記複数の突起は、直線状または分岐状である、態様２０５に記載の方法。
（態様２１６）
前記突起の長さは、０．０１μｍ〜約５７μｍである、態様２１５に記載の方法。
（態様２１７）
前記ボールステントの前記壁は、前記内面上に配置された内側層を含み、前記内側層を形成するために用いられる材料は、ポリマー、プラスチック、ゴム、ラテックス、金属、繊維材料、エラストマー、パリレン（登録商標）およびこれらの組み合わせからなる群から選択される、態様２０５に記載の方法。
（態様２１８）
前記カテーテルおよび前記拡張状態のボールステントが引き離され、前記カテーテルと前記拡張状態のボールステントとの間の摩擦嵌めが終了することにより、前記カテーテルが前記拡張状態のボールステントから分離される、態様２０５に記載の方法。
（態様２１９）
前記カテーテルおよび前記拡張状態のボールステントが引き離され、前記カテーテルと前記拡張状態のボールステントとの間の摩擦嵌めが終了することにより、前記カテーテルが前記拡張状態のボールステントから分離され、前記摩擦嵌めは、前記ボールステントを前記カテーテルへと保持する弾性スリーブまたはラップによって形成された摩擦嵌めを含む、態様２０５に記載の方法。
（態様２２０）
前記カテーテルと前記拡張状態のボールステントとの間の溶接または半田を電解によって溶解させることにより、前記カテーテルが前記拡張状態のボールステントから分離される、態様２０５に記載の方法。
（態様２２１）
前記カテーテルおよび前記ボールステントの分離を可能にするのに充分な量および時間で電流を前記溶接または半田に付加することを含む、態様２２０に記載の方法。
（態様２２２）
電流を伝送するための絶縁された導電体ワイヤを通じて電流を前記半田または溶接へ伝送することを含み、前記絶縁された導電体ワイヤは、少なくとも前記カテーテルの近位端から少なくとも前記カテーテルの遠位端へと、前記カテーテルの長手方向軸に沿って延びる、態様２２１に記載の方法。
（態様２２３）
前記絶縁された導電体ワイヤは電解ワイヤである、態様２２２に記載の方法。
（態様２２４）
前記拡張状態のボールステントの一部を電解によって溶解させることにより、前記カテーテルが前記拡張状態のボールステントから分離される、態様２０５に記載の方法。
（態様２２５）
前記拡張状態のボールステントの首部の一部が溶解される、態様２２４に記載の方法。
（態様２２６）
前記カテーテルおよび前記ボールステントの分離を可能にするのに充分な量および時間で電流を前記拡張状態のボールステントに付加することを含む、態様２２４および２２５に記載の方法。
（態様２２７）
電流を伝送するための絶縁された導電体ワイヤを通じて電流を前記半田または溶接へ付加することを含み、前記絶縁された導電体ワイヤは、少なくとも前記カテーテルの近位端から少なくとも前記カテーテルの遠位端へと、前記カテーテルの長手方向軸に沿って延びる、態様２２６に記載の方法。
（態様２２８）
前記絶縁された導電体ワイヤは電解ワイヤである、態様２２７に記載の方法。
（態様２２９）
前記拡張状態のボールステントの一部を切断または破断することにより、前記カテーテルが前記拡張状態のボールステントから分離される、態様２０５に記載の方法。
（態様２３０）
前記拡張状態のボールステントの首部の一部が切断または破断される、態様２２９に記載の方法。
（態様２３１）
前記拡張状態のボールステントを材料のループで切断することを含む、態様２３０に記載の方法。
（態様２３２）
前記材料のループは、ワイヤ、ポリマーストランド、フィラメント、ストリング、スレッドまたはスネアの群から選択される、態様２３１に記載の方法。
（態様２３３）
前記拡張状態のボールステントを１つ以上の刃部で切断することを含む、態様２３０に記載の方法。
（態様２３４）
前記カテーテルと前記拡張状態のボールステントとの間の接着ボンドを加熱して溶融させることにより、前記カテーテルが前記拡張状態のボールステントから分離される、態様２０５に記載の方法。
（態様２３５）
前記接着ボンドに隣接する抵抗発熱体内に電流を通過させることにより、前記接着ボンドを加熱することを含む、態様２３４に記載の方法。
（態様２３６）
機械的係合部分の分離により、前記カテーテルが前記拡張状態のボールステントから分離される、態様２０５に記載の方法。
（態様２３７）
前記カテーテルから分離された後の前記拡張状態のボールステントの形状を変更することを含み、前記変更は、前記拡張状態のボールステントの壁のうち少なくとも一部を継続的に変形させる外力を付加することにより、行われる、態様２０５に記載の方法。
（態様２３８）
前記外力は、バルーンカテーテルによって付加される、態様２３７に記載の方法。
（態様２３９）
嚢状動脈瘤の内腔の一部を拡張状態のボールステントで充填する方法であって、前記ボールステントは、多孔性外側層および内面を有する壁を有し、前記内面は空洞を規定し、前記方法は、
前記ボールステントのうち少なくとも一部を溶液中に配置するステップであって、前記溶液は、薬剤、薬理活性分子、薬学的組成およびこれらの組み合わせからなる群から選択され、これにより、前記溶液が前記ボールステントの前記多孔性外側層中へと移動する、ステップと、
前記圧縮状態のボールステントを取り付けられたカテーテルと共に前記嚢状動脈瘤の内腔内に位置決めするステップと、
前記ボールステントが拡張状態になるまで、流体源からの流体を前記カテーテルのルーメンを通じて前記圧縮状態のボールステントの前記空洞内へと移動させるステップと、
前記拡張状態のボールステントを前記カテーテルから分離するステップと、
前記カテーテルを前記患者から除去する際、前記拡張状態のボールステントを前記嚢状動脈瘤の内腔内に残置するステップと、
を含む、方法。
（態様２４０）
前記圧縮状態のボールステントをガイドカテーテルのルーメンを通じて送ることを含む、態様２３９に記載の方法。
（態様２４１）
前記取り付けられたカテーテルは、誘導部材またはガイドワイヤの移動を可能にするような寸法にされたルーメンを規定する円筒状部材を含まない、態様２３９に記載の方法。
（態様２４２）
誘導部材またはガイドワイヤを用いて前記圧縮状態のボールステントを前記動脈瘤の内腔内に位置決めすることを含み、前記取り付けられたカテーテルは、ルーメンを規定する円筒状部材を含み、前記ルーメンは、前記誘導部材またはガイドワイヤの移動を可能にするような寸法にされる、態様２３９に記載の方法。
（態様２４３）
前記取り付けられたカテーテルは、ルーメンを規定する円筒状部材を含み、前記ルーメンは、前記誘導部材またはガイドワイヤの移動を可能にするような寸法にされる、態様２３９に記載の方法。
（態様２４４）
前記拡張状態のボールステントの外面のうち少なくとも５０％、７５％または９０％が前記動脈瘤の内膜表面と接触するように前記圧縮状態のボールステントを拡張させることを含む、態様２３９に記載の方法。
（態様２４５）
前記動脈瘤の内腔のうち少なくとも５０％、７５％または９０％が前記拡張状態のボールステントによって充填されるように前記圧縮状態のボールステントを拡張させることを含む、態様２３９に記載の方法。
（態様２４６）
前記拡張状態のボールステントの形態は円形である、態様２３９に記載の方法。
（態様２４７）
前記ボールステントの拡張状態直径は、約２ｍｍ〜約２０ｍｍである、態様２３９に記載の方法。
（態様２４８）
前記多孔性の外側層は、直径が約０．０１μｍ〜約１００μｍである複数の孔を有する、態様２３９に記載の方法。
（態様２４９）
前記ボールステントの外面は、複数の突起を含む、態様２３９に記載の方法。
（態様２５０）
前記突起長さは、０．０１μｍ〜約５７μｍである、態様２４９に記載の方法。
（態様２５１）
前記ボールステントの前記壁は、前記内面上に配置された内側層を含み、前記内側層を形成するために用いられる材料は、ポリマー、プラスチック、ゴム、ラテックス、金属、繊維材料、エラストマー、パリレン（登録商標）およびこれらの組み合わせからなる群から選択される、態様２３９に記載の方法。
（態様２５２）
前記カテーテルおよび前記拡張状態のボールステントを引き離して前記カテーテルと前記拡張状態のボールステントとの間の摩擦嵌めを終了させることにより、前記カテーテルが前記拡張状態のボールステントから分離される、態様２３９に記載の方法。
（態様２５３）
前記カテーテルおよび前記拡張状態のボールステントを引き離して前記カテーテルと前記拡張状態のボールステントとの間の摩擦嵌めを終了させることにより、前記カテーテルが前記拡張状態のボールステントから分離され、前記摩擦嵌めは、前記ボールステントを前記カテーテルへと保持する弾性スリーブまたはラップによって形成される摩擦嵌めを含む、態様２３９に記載の方法。
（態様２５４）
前記カテーテルと前記拡張状態のボールステントとの間の溶接または半田を電解によって溶解させることにより、前記カテーテルが前記拡張状態のボールステントから分離される、態様２３９に記載の方法。
（態様２５５）
前記カテーテルおよび前記ボールステントの分離を可能にするのに充分な量および時間で電流を前記溶接または半田に付加することを含む、態様２５４に記載の方法。
（態様２５６）
絶縁された導電体ワイヤを通じて電流を前記半田または溶接へ伝送することを含み、前記絶縁された導電体ワイヤは、前記カテーテルの長手方向軸に沿って少なくとも前記カテーテルの近位端から少なくとも前記カテーテルの遠位端へと延びる、態様２５５に記載の方法。
（態様２５７）
前記絶縁された導電体ワイヤは電解ワイヤである、態様２５６に記載の方法。
（態様２５８）
前記拡張状態のボールステントの一部を電解によって溶解させることにより、前記カテーテルが前記拡張状態のボールステントから分離される、態様２３９に記載の方法。
（態様２５９）
前記拡張状態のボールステントの首部の一部が溶解される、態様２５８に記載の方法。
（態様２６０）
前記カテーテルおよび前記ボールステントの分離を可能にするのに充分な量および時間で電流を前記拡張状態のボールステントに付加することを含む、態様２５８および２５９に記載の方法。
（態様２６１）
絶縁された導電性ワイヤを通じて電流を前記拡張状態のボールステントへと伝送することを含み、前記絶縁された導電性ワイヤは、少なくとも前記カテーテルの近位端から前記カテーテルの長手方向軸に沿って少なくとも前記カテーテルの遠位端へと延びる、態様２５８の方法。
（態様２６２）
前記絶縁された導電体ワイヤは電解ワイヤである、態様２６１に記載の方法。
（態様２６３）
前記拡張状態のボールステントの一部を切断または破断することにより、前記カテーテルが前記拡張状態のボールステントから分離される、態様２３９に記載の方法。
（態様２６４）
前記拡張状態のボールステントの首部の一部が切断または破断される、態様２６３に記載の方法。
（態様２６５）
前記ボールステントを材料のループによって切断することを含む、態様２６４に記載の方法。
（態様２６６）
前記材料のループは、ワイヤ、ポリマーストランド、フィラメント、ストリング、スレッドまたはスネアの群から選択される、態様２６５に記載の方法。
（態様２６７）
前記ボールステントを１つ以上の刃部によって切断することを含む、態様２６４に記載の方法。
（態様２６８）
前記カテーテルと前記拡張状態のボールステントとの間の接着ボンドを加熱して溶融させることにより、前記カテーテルが前記拡張状態のボールステントから分離される、態様２３９に記載の方法。
（態様２６９）
前記接着ボンドに隣接する抵抗発熱体内に電流を通過させることにより、前記接着ボンドを加熱することを含む、態様２６８に記載の方法。
（態様２７０）
機械的係合部分の分離により、前記カテーテルが前記拡張状態のボールステントから分離される、態様２３９に記載の方法。
（態様２７１）
前記拡張状態のボールステントの壁のうち少なくとも一部を継続的に変形させる外力を付加することにより、前記カテーテルから分離された後の前記拡張状態のボールステントの形状を変更することを含む、態様２３９に記載の方法。
（態様２７２）
前記外力は、バルーンカテーテルによって付加される、態様２７１に記載の方法。
（態様２７３）
嚢状動脈瘤の内腔内に配置された拡張状態のボールステントであって、前記拡張状態のボールステントは、外面および内面を含む金属壁を含む、ボールステント。
（態様２７４）
前記壁は、金、白金、銀、これらの合金およびこれらの組み合わせからなる群から選択された材料を含む、態様２７３に記載の拡張状態のボールステント。
（態様２７５）
前記直径は、約２ｍｍ〜約２０ｍｍである、態様２７３に記載の拡張状態のボールステント。
（態様２７６）
前記壁厚さは、約３μｍ〜約６０μｍである、態様２７３に記載の拡張状態のボールステント。
（態様２７７）
前記ボールステントの前記外面上に配置された外側層を含む、態様２７３に記載の拡張状態のボールステント。
（態様２７８）
前記外側層は、多孔性外側層を形成するための多孔性材料を含む、態様２７７に記載の拡張状態のボールステント。
（態様２７９）
前記多孔性外側層の厚さは、約１μｍ〜約５９μｍである、態様２７８に記載の拡張状態のボールステント。
（態様２８０）
前記多孔性外側層は、直径が約０．０１μｍ〜約１００μｍである複数の孔を有する、態様２７８に記載の拡張状態のボールステント。
（態様２８１）
前記多孔性外側層は、金、白金、銀、これらの合金およびこれらの組み合わせを含む材料から形成される、態様２７８に記載の拡張状態のボールステント。
（態様２８２）
前記多孔性外側層は溶液を含み、前記溶液は、薬剤、薬理活性分子、薬学的組成およびこれらの組み合わせからなる群から選択され、これにより、前記溶液は前記多孔性外側層内に移動する、態様２７８に記載の拡張状態のボールステント。
（態様２８３）
前記多孔性外側層は、薬剤または薬学的組成を含み、前記薬剤または薬学的組成は、トロンビン、血小板由来成長因子、エチオドール、ソトラデコールおよびこれらの組み合わせの群から選択される、態様２８２に記載の拡張状態のボールステント。
（態様２８４）
前記ボールステント壁の前記内面上に配置された内側層を含む、態様２７３に記載の拡張状態のボールステント。
（態様２８５）
前記内側層は、ポリマー、プラスチック、ゴム、ラテックス、金属、繊維材料、エラストマーおよびこれらの組み合わせからなる群から選択された材料を含む、態様２８４に記載の拡張状態のボールステント。
（態様２８６）
前記内側層は、パリレン（登録商標）を含む、態様２８５に記載の拡張状態のボールステント。
（態様２８７）
前記内側層の厚さは、約０．１μｍ〜約５９μｍである、態様２８４に記載の拡張状態のボールステント。
（態様２８８）
前記壁は、多孔性外側層および内側層を含み、前記内側層は、ポリマー、プラスチック、ゴム、ラテックス、エラストマーおよびこれらの組み合わせからなる群から選択された材料を含む、態様２７３に記載の拡張状態のボールステント。
（態様２８９）
前記内側層は、パリレン（登録商標）を含む、態様２８８に記載の拡張状態のボールステント。
（態様２９０）
前記ボールステントの前記外面は、複数の突起を含む、態様２７３に記載の拡張状態のボールステント。
（態様２９１）
前記突起の長さは、０．０１μｍ〜約５７μｍである、態様２９０に記載の拡張状態のボールステント。
（態様２９２）
開口部を規定する首部を含む、態様２７３に記載の拡張状態のボールステント。
（態様２９３）
前記首部の壁厚さは、約３μｍ〜約６０μｍである、態様２９２に記載の拡張状態のボールステント。
（態様２９４）
前記首部の長さは０．５ｍｍ〜５ｍｍである、態様２９２に記載の拡張状態のボールステント。
（態様２９５）
前記首部は、約０．２５ｍｍ〜約３ｍｍの開口部を規定し、前記開口部により、前記ボールステント内への流体注入が可能になる、態様２９２に記載の拡張状態のボールステント。
（態様２９６）
前記首部は、密閉されるかまたは部分的に密閉される、態様２９２に記載の拡張状態のボールステント。
（態様２９７）
前記ボールステントの前記内面によって規定された空間または空洞は、内壁と接触する材料によって充填されるかまたは部分的に充填される、態様２７３に記載の拡張状態のボールステント。
（態様２９８）
前記充填材料は、流体、液体、気体、固体またはこれらの組み合わせからなる群から選択される、態様２９７に記載の拡張状態のボールステント。
（態様２９９）
前記ボールステントの前記内壁によって規定された前記空間または前記空洞は、支持構造によって少なくとも部分的に充填される、態様２９８に記載の拡張状態のボールステント。
（態様３００）
前記支持構造は、金属またはポリマーコイルまたはワイヤ、金属またはポリマー伸張性構造、ビーズ、ボール、ラジアル拡張可能な材料またはミクロスフェアを含む、態様２９９に記載の拡張状態のボールステント。
（態様３０１）
前記拡張状態のボールステントの形状は、外力の付加によって変形される、態様２７３に記載の拡張状態のボールステント。
（態様３０２）
前記外力は、バルーンカテーテルによって付加される、態様３０１に記載の拡張状態のボールステント。
（態様３０３）
前記第１の拡張状態のボールステントに隣接して配置された第２の拡張状態のボールステントであって、前記第２のボールステントは、前記嚢状動脈瘤の内腔の残り部分を占有する、第２の拡張状態のボールステント、
をさらに含む、態様２７３に記載の拡張状態のボールステント。
（態様３０４）
前記第１の拡張状態のボールステントおよび第２の拡張状態のボールステントに隣接して配置された第３の拡張状態のボールステントであって、前記第３のボールステントは、前記嚢状動脈瘤の内腔の残り部分を占有する、第３の拡張状態のボールステント、
をさらに含む、態様３０３に記載の拡張状態のボールステント。
（態様３０５）
医療用キットであって、
カテーテルに取り付けられた圧縮状態のボールステントと、使用についての指示事項とを含む医療用デバイス、
を含む、医療用キット。
（態様３０６）
前記医療用デバイスは、前記拡張状態のボールステントを前記カテーテルから分離するためのコンポーネントを含む、態様３０５に記載の医療用キット。
（態様３０７）
前記医療用デバイスと前記使用についての指示事項とを封入する無菌パッケージを含む、態様３０５に記載の医療用キット。
（態様３０８）
前記指示事項は、
前記圧縮状態のボールステントを前記カテーテルを用いて前記嚢状動脈瘤の内腔内に位置決めすることと、
流体、固体またはこれらの組み合わせを用いて前記圧縮状態のボールステントを拡張させることと、
前記拡張状態のボールステントを前記カテーテルから分離させることと、
前記拡張状態のボールステントを前記嚢状動脈瘤の内腔内に残置することと、
前記カテーテルを除去することと、
についての指示を含む、態様３０５に記載の医療用キット。
（態様３０９）
前記カテーテルおよび前記拡張状態のボールステントを分離させるための前記コンポーネントは、絶縁された導電体ワイヤを含み、前記絶縁された導電体ワイヤは、前記カテーテルを前記拡張状態のボールステントへと結合させる溶接または半田へ電流を伝送させる、態様３０５に記載の医療用キット。
（態様３１０）
前記カテーテルおよび前記拡張状態のボールステントの分離のための前記コンポーネントは、前記拡張状態のボールステントへ電流を伝送するための絶縁された導電性ワイヤを含む、態様３０５に記載の医療用キット。
（態様３１１）
前記絶縁された導電性ワイヤは、少なくとも前記カテーテルの近位端から前記カテーテルの長手方向軸に沿って少なくとも前記カテーテルの遠位端へと延びる、態様３０９または３１０に記載の医療用キット。
（態様３１２）
前記カテーテルおよび前記拡張状態のボールステントの分離のための前記コンポーネントは、前記ボールステントを切断または破断するように構成されたコンポーネントを含む、態様３０５に記載の医療用キット。
（態様３１３）
前記コンポーネントは、材料のループを含む、態様３１２に記載の医療用キット。
（態様３１４）
前記材料のループは、ワイヤ、ポリマーストランド、フィラメント、スレッドまたはスネアの群から選択される、態様３１３に記載の医療用キット。
（態様３１５）
前記拡張状態のボールステントおよび前記カテーテルの分離のための前記デバイスは、前記ボールステントを切断するように構成された１つ以上の刃部を含む、態様３１２に記載の医療用キット。
（態様３１６）
前記カテーテルおよび前記拡張状態のボールステントの分離のための前記デバイスは、電流を受容可能な抵抗発熱体を含み、前記抵抗発熱体は、ボールステントと前記カテーテルとの間の接着ボンドを加熱して溶融させることができる、態様３０５に記載の医療用キット。
（態様３１７）
前記カテーテルおよび前記拡張状態のボールステントの分離のための前記デバイスは、前記カテーテルおよび前記ボールステントを取り付けている噛み合い部分を機械的に分離するためのデバイスを含む、態様３０５に記載の医療用キット。
（態様３１８）
医療用キットであって、
医療用デバイスであって、前記医療用デバイスは、圧縮状態のボールステントと、カテーテルと、前記ボールステントおよび前記カテーテルを共に摩擦嵌めによって保持するための弾性スリーブまたはラップと、使用についての指示事項とを含む、医療用デバイス、
を含む、医療用キット。
（態様３１９）
前記カテーテルおよび前記拡張状態のボールステントは、引き離すことが可能である、態様３１８に記載のキット。
（態様３２０）
ボールステントを形成する方法であって、
基板を提供することと、
１つ以上の金属層を前記基板へ付加することと、
前記基板を除去することと、
を含む、方法。
（態様３２１）
前記基板はマンドレルまたはモールドである、態様３２０に記載の方法。
（態様３２２）
電鋳法、電気めっき、スパッタリングまたは蒸着により、前記基板へ層が付加される、態様３２０に記載の方法。
（態様３２３）
１つ以上の多孔性外側層が前記ボールステントへと付加される、態様３２０に記載の方法。
（態様３２４）
電鋳法、電気めっき、スパッタリングまたは蒸着により、前記多孔性外側層が付加される、態様３２３に記載の方法。
（態様３２５）
前記ボールステントに１つ以上の内側層が付加される、態様３２０に記載の方法。
（態様３２６）
前記内側層は、電鋳法、電気めっき、スパッタリングまたは蒸着によって付加される、態様３２５に記載の方法。
（態様３２７）
前記ボールステントの壁または前記ボールステントの壁の一部を２次元形態で形成した後に３次元ボールステント形態を形成すること、
を含む、態様３２０に記載の方法。
（態様３２８）
ボールステントを形成する方法であって、
前記ボールステントの壁または前記ボールステントの壁の一部を２次元形態で形成した後に３次元ボールステント形態を形成すること、
を含む、方法。